(57)【要約】【課題】  近年、保温性の高い繊維や運動機能性に優れた機能繊維製品が注目されている。しかし、効果やその持続性が明確でないものも多く、価格も高いものが多い。【解決手段】  本発明は、繊維製品や繊維材料に、特定の周波数の共鳴電磁波を、特定の温度条件下で、一定時間照射することにより、当該繊維製品を当該電磁波の転写体とし、当該繊維製品やその繊維材料自体が当該電磁波の発振源とすることを特徴とする機能繊維製品とその製造方法を提供する。【選択図】図２
2015139688.tif 000002
【特許請求の範囲】
【請求項１】
天然繊維や化学繊維の繊維製品や繊維材料に、特定の周波数の共鳴電磁波を、特定の温度条件下で、一定時間照射することにより、当該繊維製品を当該電磁波の転写体とし、当該繊維製品やその繊維材料自体が当該電磁波の発振源とすることを特徴とする機能繊維製品とその製造方法。
【請求項２】
請求項１に記載の特定の周波数は、３２〜３８テラヘルツであることを特徴とする機能繊維製品とその製造方法。
【請求項３】
請求項１に記載の特定の温度条件は、摂氏２０度から９０度とすることを特徴とする機能繊維製品とその製造方法。
【請求項４】
請求項１に記載の一定時間照射を、２〜１２時間とすることを特徴とする機能繊維製品とその製造方法。
【発明の詳細な説明】
【技術分野】
【０００１】  本発明は、３２〜３８テラヘルツの共鳴電磁波を、天然繊維や化学繊維の繊維製品や繊維材料に照射することにより、当該繊維製品や繊維材料自体を当該共鳴電磁波の発振体とする機能繊維製品とその製造方法を提供する。
【背景技術】
【０００２】  近年、遠赤外線領域の共鳴電磁波を放射するセラミックや金属の粉末を含んだ機能繊維製品や応用技術が数多く開発されているが、効果の安定性や均一性や耐久性に問題があるものがほとんどである。その主な理由として遠赤外線領域電磁波の発生源や周波数が特定されておらず、また現在の技術レベルでその周波数や効果を定量的に解析することが難しいためと考えられる。【０００３】  また一方で、生命体やＤＮＡ二重螺旋構造、超伝導エネルギーギャップ、固体中の電子の散乱等の重要な現象に遠赤外線領域の電磁波が深い関係を持っているとされているが、電子デバイスとしての利用可能な上限周波数以上であり、水に対しての吸収性が大きい事から利用困難な未開拓領域とされてきた。近年になり、１００ギガヘルツから１００テラヘルツの共鳴電磁波を利用した各種製品や装置が提案され始めている。（例えば特願２００６−２９８３１５号参照）
【特許文献１】特開２００６−２９８３１５
【発明の概要】
【発明が解決しようとする課題】
【０００４】  近年、保温性の高い繊維や運動機能性に優れた機能繊維製品が注目されている。しかし、効果や、効果の持続性が明確でないものも多く、価格も高いものが多いことが、広く普及するための問題となっている。【０００５】  また、繊維製品や繊維材料を構成する分子の軌道を運動する電子を共鳴励起する可能性のある共鳴電磁波を放射する方法として、加熱圧縮空気で共鳴電磁波を放射する装置も開発されているが、装置が大型で高価なためと共鳴電磁波の発振源が高温空気であるため汎用性に問題があった。【０００６】  また、金属錯体の中には、共鳴電磁波を吸収または発振するものもあるが、対象物体に含浸または塗布する必要があり、物体種類が限定されたり、処理工程が複雑化したり、安定して持続的に共鳴電磁波を放射することに問題があった。
【課題を解決するための手段】
【０００７】  このような課題を解決するために本発明者は、３２〜３８テラヘルツの共鳴電磁波を、２〜１２時間、２０℃〜９０℃の温度条件下で、ステンレススティールやアルミニュームやチタン等の金属に照射することで、当該金属が当該共鳴電磁波の転写体となり、自らが当該共鳴電磁波の発射体となることを見出し、本発明をなすに至った。【０００８】  すなわち、上記課題を解決するために本発明では、３２〜３８テラヘルツの共鳴電磁波を放射する物質と、繊維製品や繊維材料を密着または近接させ、２０℃〜９０℃の温度条件下で、２〜１２時間放置し、当該共鳴電磁波の放射体から発射される電磁波を、当該繊維製品や繊維材料に転写し、共振作用により、当該繊維製品や繊維材料自体を当該共鳴電磁波の放射体とする。【０００９】  繊維製品や繊維自体を共鳴電磁波の放射体とすることで、共鳴電磁波を放射するセラミックや金属の粉末を含ませた繊維よりも耐久性が増し、当該粉末の剥離により効力を減じるという問題を解決できる。【００１０】  また、繊維製品や繊維から放射される共鳴電磁波の周波数を３２〜３８テラヘルツと限定することで、周波数によって効果が期待できないという問題点を解決できる。
【発明の効果】
【００１１】  本発明によれば、効果が明確で持続性の高い３２〜３８テラヘルツの共鳴電磁波を放射する機能繊維製品やその繊維材料の製造方法と装置を低コストで、大量に提供できる。【００１２】  また、本発明による繊維製品や繊維は、着衣する人体に、約３０℃〜約９０℃の温度エネルギーに相当する３２〜３８テラヘルツの共鳴電磁波を放射し、内側からの熱は内側へ返し、外側からの熱は外側へ返すことで、冬暖かく夏涼しいという効果を発揮する。【００１３】  また、当該電磁波は、当該繊維製品を着衣する人体の水素結合を共振励起し、当該水素結合を分離する。そして当該水素結合から放出された電子が高速で移動し、他の原子や分子と衝突することにより、衝突エネルギーが発生し、基礎体温を高め、免疫力を改善する。【００１４】  また、当該電磁波は、当該繊維製品を着衣する人体の血液の水素結合を共振励起し、浄化することによって、酸素や栄養を有効に体内の各細胞に運ぶことができ、健康を促進する。【００１５】  また、当該電磁波は、当該繊維製品を着衣する人体の筋肉細胞やその他の疲労蓄積等で硬化した細胞の水素結合を共振励起し、柔軟にすることで、血管や神経の圧迫を軽減し、疼痛を緩和する。
【発明を実施するための形態】
【００１６】  以下、本発明の実施形態について図面を参照しながら詳細に説明する。
図１は、共鳴電磁波を他の物体に転写する方式の概念を示す。
図２は、共鳴電磁波を繊維製品や繊維材料に照射する装置の概念の縦断面を示す。
図３は、図２のＡ矢視を示す。
【００１７】  図１に示すように、共鳴電磁波を発振源から他の物体に転写する方式において、ステンレススティール製の排気抵抗を通した３０℃〜９０℃の温風やクエン酸等のカルボキシル基を配位子とするナトリューム錯体や２００℃〜２５０℃で処理されたチタンやアルミニューム等の金属や特定の種類の天然石のように、３２〜３８テラヘルツの共鳴電磁波２を発振する発振源を第１次発振源１とし、当該第１次発振源１から発振される３２〜３８テラヘルツの第１次共鳴電磁波２を、第１次受振及び第２次共鳴電磁波発振体３に２〜１２時間照射する。
【００１８】  当該電磁波２を照射された当該第１次受振及び第２共鳴電磁波次発振体３から３２〜３８テラヘルツの第２次共鳴電磁波４が放射される。
【００１９】  当該第２次共鳴電磁波４を第２次受振及び第３次共鳴電磁波発振体５に、２〜１２時間照射することにより、３２〜３８テラヘルツの固有振動数を有するアルミニュームや銅のような自由電子の多い高伝導素材やガラスのように非晶質または結晶構造の不安定な物質や水素結合を含む分子構造を有する物質や炭素原子を構造の基本骨格に持つ化合物質のような共鳴電磁波発振材５の分子の軌道を回る電子や格子の振動が共振励起され、様々な共鳴電磁波効果を発揮するようになる。
【００２０】  具体的には、図２及び図３に示すように、第１次受振及び第２次共鳴電磁波発振体３として、アルミ蒸着シートのように自由電子を多く有するシートまたは板状の共鳴電磁波照射シート３１を繊維製品５１に密着するようにして配置し、当該シート３１から放射される３２〜３８テラヘルツの共鳴電磁波を当該繊維製品５１に２〜１２時間照射する。
【００２１】  当該シート３１の上または下または両方には２０℃〜９０℃の温度調節が可能な面ヒーター１１が設けられていて、３２〜３８テラヘルツの共鳴電磁波を当該繊維製品５１に効率良く放射できる。
【００２２】  当該シート３１の基材として３２〜３８テラヘルツの固有振動数を有するアルミニュームや銅のような自由電子の多い高伝導素材やガラスのように非晶質または結晶構造の不安定な物質や水素結合を含む分子構造を有する物質や炭素原子を構造の基本骨格に持つ化合物質が考えられるが、本発明では、コストや使いやすさを配慮して主にアルミ蒸着シートを使用している。
【００２３】  当該シート３１に密着して、繊維製品５１を配置し、面ヒーター１１の温度を材質や大きさに合わせて調節して、当該シート３１から発振される３２〜３８テラヘルツの共鳴電磁波を２〜１２時間照射する。
【００２４】  当該電磁波を規定時間照射された当該繊維製品５１は、繊維材料を構成する分子の軌道を回る電子が共振励起され、当該繊維製品５１自体が、共鳴電磁波の発振源となり、様々な共鳴電磁波効果を発揮する機能繊維製品となる。
【実施例】
【００２５】  数多くの人たちの試着テストを通して下記の効果が確認されている。
＊温度調節効果  ：冬暖かく、夏涼しい繊維製品。
＊健康効果      ：身に着けると血液がサラサラになり、免疫力が増加する。
＊疼痛緩和      ：肩こり、腰痛、神経痛、打撲等の痛みを緩和する。
＊ダイエット効果：体内の余分な脂肪分を燃焼する。
＊消臭効果      ：汗の臭いや体臭・加齢臭を消臭する。
＊洗濯効果      ：汚れが着きにくく、落ちやすいだけでなく、一緒に選択する衣類の                    汚れも落ちやすくなり、洗剤使用量を減らすことができる。
【産業上の利用可能な分野】
【００２６】  本発明は、繊維製品の生産工程で原材料、半加工品、完成品のいかなる段階でも対応出来るばかりでなく、すでに着用している繊維製品にも利用できる。また乳がん防止ブラジャーやサポーター等の医療健康分野でも利用できる。
【図面の簡単な説明】
【００２７】
【図１】は、共鳴電磁波を他の物体に照射する方式の概念を示す。
【図２】は、共鳴電磁波を繊維製品に照射する装置の概念の縦断面を示す。
【図３】は、図２のＡ矢視を示す。
【符号の説明】
【００２８】  １    第１次発振源
２    第１次共鳴電磁波
３    第１次受振及び第２次共鳴電磁波発振体
４    第２次共鳴電磁波
５    第２次受振及び第３次共鳴電磁波発振体
６    第３次共鳴電磁波
１１  面ヒーター
３１  共鳴電磁波照射シート
５１  繊維製品
【図１】
2015139688.tif 000003
【図２】
2015139688.tif 000004
【図３】
2015139688.tif 000005